(57)【要約】【課題】理髪練習にあたり、人間の頭部に即した理髪の練習を行うこと理髪練習用頭部人形を提供する。【解決手段】板材１１には、板面に沿う方向と所定の傾斜角を有する傾斜貫通孔１１ａが複数形成され、傾斜貫通孔１１ａには、体毛部材１２が、板材１１の表面から突出された状態に挿通されると共に、板材１１の裏面から突出された状態に挿通され、板材１１の裏面から突出する体毛部材１２を固定可能な体毛部材固定手段１４が設けられている体毛調整練習用人形１０を構成した。【選択図】図５
2007301306.tif 000002
【特許請求の範囲】
【請求項１】
所定の厚みを有する板材により、内部が中空で動物の形状に成形された体毛調整練習用人形であって、
前記板材には、板面に沿う方向と所定の傾斜角を有する傾斜貫通孔が複数形成され、該傾斜貫通孔には、体毛部材が、前記板材の表面から突出された状態に挿通されると共に、前記板材の裏面から突出された状態に挿通され、
前記板材の裏面から突出する前記体毛部材を固定可能な体毛部材固定手段が設けられていることを特徴とする体毛調整練習用人形。
【請求項２】
前記傾斜貫通孔は、前記板材の表面側に形成された表面開口と、前記板材の裏面側に形成された裏面開口とを有し、前記表面開口が、前記裏面開口よりも狭く形成されていることを特徴とする請求項１に記載の体毛調整練習用人形。
【請求項３】
前記裏面開口の周縁部の一部又は全部には、アール部が形成されていることを特徴とする請求項１又は２に記載の体毛調整練習用人形。
【請求項４】
所定の厚みを有する板材により、内部が中空で動物の形状に成形された体毛調整練習用人形であって、
前記板材には、貫通孔が複数形成され、該貫通孔には、体毛部材が、前記板材の表面から突出された状態に挿通されると共に、前記板材の裏面から突出された状態で挿通され、
前記板材の裏面側には、前記板材の裏面から突出する前記体毛部材を固定可能な体毛部材固定手段が設けられ、
前記板材の所定領域に形成された前記貫通孔に挿通された前記体毛部材が、前記板材の所定領域に対応して区画手段によって区画されたことを特徴とする体毛調整練習用人形。
【請求項５】
前記板材が着脱可能で動物の形状に成形された骨組みが設けられ、
前記板材が、複数の分割板材からなり、該各分割板材が、前記骨組みに対して着脱されることにより交換可能であることを特徴とする請求項１乃至４の何れか一つに記載の体毛調整練習用人形。
【請求項６】
前記骨組みが、前記分割板材に対応する複数の分割枠からなり、隣接する前記分割枠同士を着脱することにより交換可能であることを特徴とする請求項５に記載の体毛調整練習用人形。
【請求項７】
前記区画手段が、前記板材に挿通された前記体毛部材を前記分割板材に挿通された束毎に区画すると共に、前記分割枠の裏側に設けられて各々の前記分割枠の形状に対応して区画する隔壁部であり、前記体毛部材固定手段が、前記隔壁部に設けられたことを特徴とする請求項５又は６に記載の体毛調整練習用人形。
【請求項８】
前記区画手段が、前記板材に挿通された前記体毛部材を前記分割板材に挿通された束毎に区画すると共に、前記分割板材の周縁部から前記分割板材の裏面へ向けて延長される覆いであることを特徴とする請求項５又は６に記載の体毛調整練習用人形。
【請求項９】
前記区画手段が、前記板材に挿通された前記体毛部材を前記分割板材に挿通された束毎に区画すると共に、前記分割枠の裏側に設けられて各々の前記分割枠の形状に対応して区画する隔壁部と、前記板材に挿通された前記体毛部材を前記分割板材に挿通された束毎に区画すると共に、前記分割板材の周縁部から前記分割板材の裏面へ向けて延長される覆いとを有することを特徴とする請求項５又は６に記載の体毛調整練習用人形。
【請求項１０】
前記区画手段が、前記分割板材の裏面に延びる前記体毛部材の束を収容可能な収容部屋であることを特徴とする請求項５又は６に記載の体毛調整練習用人形。
【請求項１１】
前記板材が着脱可能で動物の形状に成形された骨組みが設けられ、
前記板材が、前記骨組みに被せられる大きさで前記骨組みの外形と略同形状で成形されると共に側部に切れ込み部が形成され、該切れ込み部を開閉して前記骨組みに対して着脱されることにより交換可能であることを特徴とする請求項１乃至４の何れか一つに記載の体毛調整練習用人形。
【請求項１２】
前記板材の裏面には、該板材を所定の形状に保持すると共に前記体毛部材が挿通される裏面固定部材が設けられていることを特徴とする請求項１乃至１１の何れか一つに記載の体毛調整練習用人形。
【請求項１３】
前記板材と前記裏面固定部材との間には、吸水性を有する吸水部材が設けられることを特徴とする請求項１乃至１２の何れか一つに記載の体毛調整練習用人形。
【請求項１４】
前記吸水部材には、前記体毛部材が挿通される体毛挿通孔が形成され、前記板材に形成される前記傾斜貫通孔から水が流入した場合に、前記吸水部材が水を吸収して膨張し、前記体毛挿通孔が収縮して水が遮断されるように構成されたことを特徴とする請求項１乃至１３の何れか一つに記載の体毛調整練習用人形。
【発明の詳細な説明】
【技術分野】
【０００１】
この発明は、所定の厚みを有する板材により、内部が中空で人間の頭部の形状に成形された体毛調整練習用人形に関するものである。
【背景技術】
【０００２】
従来、美容師、理容師は、年間１００個位の「体毛調整練習用人形」である理髪練習用頭部人形を使用し、カット等の練習を行っているが、この理髪練習用頭部人形では、毛髪や髭等の生える方向を実物に近似したものに再現するために、体毛部材が理髪練習用頭部人形に対して手作業により植毛されていた。そのために、一度、カット練習を行うと、使い捨てとなるものであった。そのため、使い捨てとなる部分を極力少なくすることが求められる。
【０００３】
このような要求に応えた発明として、特許文献１に記載されたようなものがある。特許文献１には、「ゴム等の弾性部材によって頭部毛髪面の少なくとも一部を型取った地肌皮膜を形成し、この地肌皮膜上には、該皮膜の表裏両面に突出延長させた状態で何れの面側にも引き出しできるように無数の毛髪を各別に装着して成ることを特徴とする理髪練習用カツラ。」が記載されている。
【０００４】
これによれば、「近時多種多様化された髪形に対する理髪練習を行う場合でも、本カツラを１個用意しておけば、その両面を利用することによって何回でも使用することができ、モデルの不足乃至はカツラの無駄な消耗は完全に解消され、理髪練習を安直かつ経済的に行い得る利点があり、また構造はきわめて簡単であって容易安価に製作できるなど、その実用的価値は多大である。」と記載されている。
【特許文献１】実開昭５３−１５５４９３号公報
【発明の開示】
【発明が解決しようとする課題】
【０００５】
しかしながら、特許文献１に記載された発明では、理髪練習用カツラに毛髪が無数に挿着されているが、地肌皮膜の裏面側に突出する毛髪の長さが短いので、練習できる理髪練習の回数が少なくならざるを得なかった。
【０００６】
また、実際の人間の場合には、毛髪又は髭等が地肌に対して所定の角度を有していたり、頭部上で所定の流れがあったりするが、特許文献１に記載された発明では、そのような構成ではないので、実際の人間の毛髪又は髭等のカッティング練習には不充分であった。
【０００７】
そこで、この発明は、理髪練習等の回数を増加させることができると共に、実際の人間の毛髪又は髭等のカッティング練習に対応させた体毛調整練習用人形を提供することを課題とする。
【課題を解決するための手段】
【０００８】
かかる課題を達成するために、請求項１に記載の発明は、所定の厚みを有する板材により、内部が中空で動物の形状に成形された体毛調整練習用人形であって、前記板材には、板面に沿う方向と所定の傾斜角を有する傾斜貫通孔が複数形成され、該傾斜貫通孔には、体毛部材が、前記板材の表面から突出された状態に挿通されると共に、前記板材の裏面から突出された状態に挿通され、前記板材の裏面から突出する前記体毛部材を固定可能な体毛部材固定手段が設けられている体毛調整練習用人形としたことを特徴とする。
【０００９】
請求項２に記載の発明は、請求項１に記載の構成に加え、前記傾斜貫通孔は、前記板材の表面側に形成された表面開口と、前記板材の裏面側に形成された裏面開口とを有し、前記表面開口が、前記裏面開口よりも狭く形成されていることを特徴とする。
【００１０】
請求項３に記載の発明は、請求項１又は２に記載の構成に加え、前記裏面開口の周縁部の一部又は全部には、アール部が形成されていることを特徴とする。
【００１１】
請求項４に記載の発明は、所定の厚みを有する板材により、内部が中空で動物の形状に成形された体毛調整練習用人形であって、前記板材には、貫通孔が複数形成され、該貫通孔には、体毛部材が、前記板材の表面から突出された状態に挿通されると共に、前記板材の裏面から突出された状態で挿通され、前記板材の裏面側には、前記板材の裏面から突出する前記体毛部材を固定可能な体毛部材固定手段が設けられ、前記板材の所定領域に形成された前記貫通孔に挿通された前記体毛部材が、前記板材の所定領域に対応して区画手段によって区画されたことを特徴とする。
【００１２】
請求項５に記載の発明は、請求項１乃至４の何れか一つに記載の構成に加え、前記板材が着脱可能で動物の形状に成形された骨組みが設けられ、前記板材が、複数の分割板材からなり、該各分割板材が、前記骨組みに対して着脱されることにより交換可能であることを特徴とする。
【００１３】
請求項６に記載の発明は、請求項５に記載の構成に加え、前記骨組みが、前記分割板材に対応する複数の分割枠からなり、隣接する前記分割枠同士を着脱することにより交換可能であることを特徴とする。
【００１４】
請求項７に記載の発明は、請求項５又は６に記載の構成に加え、前記区画手段が、前記板材に挿通された前記体毛部材を前記分割板材に挿通された束毎に区画すると共に、前記分割枠の裏側に設けられて各々の前記分割枠の形状に対応して区画する隔壁部であり、前記体毛部材固定手段が、前記隔壁部に設けられたことを特徴とする。
【００１５】
請求項８に記載の発明は、請求項５又は６に記載の構成に加え、前記区画手段が、前記板材に挿通された前記体毛部材を前記分割板材に挿通された束毎に区画すると共に、前記分割板材の周縁部から前記分割板材の裏面へ向けて延長される覆いであることを特徴とする。
【００１６】
請求項９に記載の発明は、請求項５又は６に記載の構成に加え、前記区画手段が、前記板材に挿通された前記体毛部材を前記分割板材に挿通された束毎に区画すると共に、前記分割枠の裏側に設けられて各々の前記分割枠の形状に対応して区画する隔壁部と、前記板材に挿通された前記体毛部材を前記分割板材に挿通された束毎に区画すると共に、前記分割板材の周縁部から前記分割板材の裏面へ向けて延長される覆いとを有することを特徴とする。
【００１７】
請求項１０に記載の発明は、請求項５又は６に記載の構成に加え、前記区画手段が、前記分割板材の裏面に延びる前記体毛部材の束を収容可能な収容部屋であることを特徴とする。
【００１８】
請求項１１に記載の発明は、請求項１乃至４の何れか一つに記載の構成に加え、前記板材が着脱可能で動物の形状に成形された骨組みが設けられ、前記板材が、前記骨組みに被せられる大きさで前記骨組みの外形と略同形状で成形されると共に側部に切れ込み部が形成され、該切れ込み部を開閉して前記骨組みに対して着脱されることにより交換可能であることを特徴とする。
【００１９】
請求項１２に記載の発明は、請求項１乃至１１の何れか一つに記載の構成に加え、前記板材の裏面には、該板材を所定の形状に保持すると共に前記体毛部材が挿通される裏面固定部材が設けられていることを特徴とする。
【００２０】
請求項１３に記載の発明は、請求項１乃至１２の何れか一つに記載の構成に加え、前記板材と前記裏面固定部材との間には、吸水性を有する吸水部材が設けられることを特徴とする。
【００２１】
請求項１４に記載の発明は、請求項１乃至１３の何れか一つに記載の構成に加え、前記吸水部材には、前記体毛部材が挿通される体毛挿通孔が形成され、前記板材に形成される前記傾斜貫通孔から水が流入した場合に、前記吸水部材が水を吸収して膨張し、前記体毛挿通孔が収縮して水が遮断されるように構成されたことを特徴とする。
【発明の効果】
【００２２】
請求項１に記載の発明によれば、板材には、板面に沿う方向と所定の傾斜角を有する傾斜貫通孔が複数形成され、傾斜貫通孔には、体毛部材が、板材の表面から突出された状態に挿通されると共に、板材の裏面から突出された状態に挿通され、板材の裏面から突出する体毛部材を固定可能な体毛部材固定手段が設けられている。そのため、板材の表面から突出した体毛部材を引張れば、板材の裏面から突出して延設される体毛部材を、板材の表面側へと引張りだすことができる。従って、理髪その他体毛調整の練習の回数を従来よりも格段と増加させることができる。また、逆に、板材の表面から突出して延設される体毛部材を板材の裏面側へと引き込むことができる。従って、理髪その他の体毛調整の練習にあたり、体毛部材を切らずに体毛部材を所望の長さに調節して、理髪その他の体毛調整の練習をすることができる。
【００２３】
また、体毛部材が傾斜貫通孔の表面から斜め方向に突出する構成となるので、理髪練習にあたり、人間の頭部に即した理髪その他動物の体に即した体毛調整の練習を行うことができる。従って、美容師又は理容師は、理髪その他体毛調整の練習による技術力の向上が図られる。
【００２４】
請求項２に記載の発明によれば、傾斜貫通孔は、板材の表面側に形成された表面開口と、板材の裏面側に形成された裏面開口とを有し、表面開口が、裏面開口よりも狭く形成されている。そのため、体毛部材が傾斜貫通孔内で裏面開口側から表面開口側へと移動し易くすることができる。従って、体毛部材の移動によって、板材が傷み難くすることができる。
【００２５】
また、表面開口の方が裏面開口よりも狭く形成されていることから、体毛部材が表面開口でぐらつき難くすることができる。従って、人間の毛髪又は髭等に対応した理髪その他動物の体毛に対応した体毛調整の練習を行うことができる。
【００２６】
請求項３に記載の発明によれば、裏面開口の周縁部の一部又は全部には、アール部が形成されている。そのため、体毛部材が板材の表面から引出されるときに、体毛部材がアール部に引掛り難くすることができるので、体毛部材の表面開口からの長さを調節し易くすることができる。従って、体毛部材が傷み難くすることができる。
【００２７】
また、裏面開口の周縁部にアール部が形成されていない場合には、体毛部材を引張ると裏面開口の周縁部によって削られ易くなると考えられるが、そのような体毛部材の削れ減少が生じ難くすることができる。
【００２８】
請求項４に記載の発明によれば、板材には、貫通孔が複数形成され、貫通孔には、体毛部材が、板材の表面から突出された状態に挿通されると共に、板材の裏面から突出された状態で挿通され、板材の裏面側には、板材の裏面から突出する体毛部材を固定可能な体毛部材固定手段が設けられ、板材の所定領域に形成された貫通孔に挿通された体毛部材が、区画手段によって区画された。従って、板材の所定領域毎の体毛部材と、それに隣接する所定領域の体毛部材とが、互いに絡まり難くすることができる。従って、複数回に渡って理髪その他体毛調整の練習した場合であっても、快適に理髪その他の体毛調整の練習をすることができる。
【００２９】
請求項５に記載の発明によれば、板材が着脱可能で人間の頭部の形状に成形された骨組みが設けられ、板材が、複数の分割板材からなり、各分割板材が、骨組みに対して着脱されることにより交換可能である。そのため、各分割板材によっては、体毛部材のカッティングによって体毛部材の無くなり方の激しい箇所があると考えられるが、そのような無くなり方の激しい箇所のみを交換することができる。従って、分割板材毎に交換可能であることから、経済性を向上させることができる。
【００３０】
また、分割板材毎に傾斜貫通孔の傾斜方向が異なるものを使用したい場合には、所望の傾斜貫通孔を形成された分割板材に交換することができるので、美容師、理容師、又は、トリマーは、体毛の流れが異なる人の頭部その他動物の理髪その他体毛調整の練習を行うことができる。
【００３１】
請求項６に記載の発明によれば、骨組みが、分割板材に対応する複数の分割枠からなり、隣接する分割枠同士を着脱することにより交換可能である。従って、各々の分割枠として、形状の異なるものを使用して、骨格自体が異なる体毛調整練習用人形を構成することで、骨格の異なる人間の理髪練習ができる。
【００３２】
請求項７に記載の発明によれば、区画手段が、板材に挿通された体毛部材を分割板材に挿通された束毎に区画すると共に、分割枠の裏側に設けられて各々の分割枠の形状に対応して区画する隔壁部であり、体毛部材固定手段が、隔壁壁部に設けられた。従って、隣接する分割板材に挿通される体毛部材同士が、隔壁部によって隔てられるので、体毛部材同士が絡まないようにすることができる。
【００３３】
請求項８に記載の発明によれば、区画手段が、板材に挿通された体毛部材を分割板材に挿通された束毎に区画すると共に、分割板材の周縁部から分割板材の裏面へ向けて延長される覆いである。従って、隣接する分割板材に挿通される体毛部材は、その各々が覆いで囲われているので、体毛部材同士が絡まないようにすることができる。
【００３４】
請求項９に記載の発明によれば、分割枠の裏側に設けられて各々の分割枠の形状に対応して区画する隔壁部と、分割板材の周縁部から前記分割板材の裏面へ向けて延長される覆いとを有する。従って、隔壁部と覆いとで２重に体毛部材同士の絡み防止が図られる。
【００３５】
請求項１０に記載の発明によれば、区画手段が、分割板材の裏面に延びる体毛部材の束を収容可能な収容部屋である。従って、長い体毛部材の束を収容部屋に収容し、長い体毛部材の束が、理髪その他体毛調整の練習の邪魔にならないようにすることができる。
【００３６】
請求項１１に記載の発明によれば、板材が着脱可能で動物の形状に成形された骨組みが設けられ、板材が、骨組みに被せられる大きさで骨組みの外形と略同形状で成形されると共に側部に切れ込み部が形成され、切れ込み部を開閉して骨組みに対して着脱されることにより交換可能である。従って、板材が骨組みに簡単に被せることができる。
【００３７】
請求項１２に記載の発明によれば、板材の裏面には、板材を所定の形状に保持すると共に体毛部材が挿通される裏面固定部材が設けられている。従って、板材が軟性を示す物質であったとしても、体毛調整練習用人形の形状が維持され、理容師、美容師、トリマー等は、実物に近い状態の人形で、理容、美容、その他動物に対する体毛のカッティングを行うことができる。
【００３８】
請求項１３に記載の発明によれば、板材と裏面固定部材との間には、吸水性を有する吸水部材が設けられる。従って、体毛調整練習用人形の体毛部材を洗った場合であっても、その水が板材に残らず、理容師、美容師、トリマー等は、実物に近い状態の人形で、理容、美容、その他動物に対する体毛のカッティングを行うことができる。
【００３９】
請求項１４に記載の発明によれば、吸水部材には、体毛部材が挿通される体毛挿通孔が形成され、板材に形成される傾斜貫通孔から水が流入した場合に、吸水部材が水を吸収して膨張し、体毛挿通孔が収縮して水が遮断されるように構成された。従って、体毛調整練習用人形の体毛部材を洗った場合に、人形内に水が浸入しないようにすることができる。
【発明を実施するための最良の形態】
【００４０】
［発明の実施の形態１］
以下、この発明の実施の形態１について説明する。
【００４１】
図１乃至図９は、この発明の実施の形態１を示す。
【００４２】
まず、構成を簡単に説明すると、「体毛調整練習用人形」である理髪練習用頭部人形１０は、図１で示すように、所定の厚みを有する板材１１により、内部が中空で人間の頭部の形状に成形されている。また、体毛部材１２が板材を貫通しており、板材１１の表面からは、体毛部材１２が突出されており、板材１１の裏面からは、体毛部材１２が突出されて延びている。さらに、板材１１の裏面からは、体毛部材１２を囲う「区画手段」である覆い１５が取付けられて延びている。また、覆い１５は、ビニール等であり、体毛部材１２の束が、他の体毛部材１２の束に接触して絡むことがないようにするためのものであると共に、汚れることを防止するために設けられたものである。なお、覆い１５は、体毛部材１２の下端側が閉じて袋状になっていても良いし、開いていても構わない。
【００４３】
また、板材１１の裏面では、図２（ａ），図３（ａ）で示すように、板材１１が着脱自在で人間の頭部の形状に形成された「骨組み」である骨格構造体１３が形成されており、骨格構造体１３は、各々が「骨組みの一部」としての「分割枠」である複数の右前頭頂枠２１ａ，左前頭頂枠２１ｂ，前頭枠２２，右側頭枠２３ａ，左側頭枠２３ｂ，右もみあげ枠２４ａ，左もみあげ枠２４ｂ，右下顎枠２５ａ，左下顎枠２５ｂ，上顎前面枠２６，下顎前面枠２７，下顎下枠２８，右眉毛枠２９ａ，左眉毛枠２９ｂ，後頭枠３１，襟足枠３２，顔枠３３から構成されている。
【００４４】
板材１１を構成する各板材２１〜３３は、人体の皮膚に触感や弾力性を酷似させた樹脂を表面に有する、例えば、軟質の塩化ビニールなどのプラスチック材料あるいはゴム材料等で成形され、図２（ｂ）と図３（ｂ）と図４（ａ），（ｂ）で示すように、各々が「分割板材」である右前頭頂板材５１ａ，左前頭頂板材５１ｂ，前頭板材５２，右側頭板材５３ａ，左側頭板材５３ｂ，右もみあげ板材５４ａ，左もみあげ板材５４ｂ，右下顎板材５５ａ，左下顎板材５５ｂ，上顎前面板材５６，下顎前面板材５７，下顎下板材５８，右眉毛板材５９ａ，左眉毛板材５９ｂ，後頭板材６１，襟足板材６２，顔板材６３から構成され、各枠２１ａ，２１ｂ，２１ｃ，２１ｄ，２２，２３ａ，２３ｂ，２４ａ，２４ｂ，２５ａ，２５ｂ，２６，２７，２８，２９ａ，２９ｂ，３１，３２，３３に対応して着脱することができるようになっている。
【００４５】
また、このような複数の板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３に分割されているのは、複数種類の板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３の各々が複数種類の形状のものがあり、それらの組合せを異ならせることによって、異なる人間の顔、髪、髭等に対応した理髪練習用頭部人形１０を構成することができるようにするためである。
【００４６】
各板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３は、図６（ｂ）で示すように、板面に沿う方向と所定の傾斜角を有する傾斜貫通孔１１ａが複数形成され、傾斜貫通孔１１ａには、体毛部材１２が、板材１１の表面から突出された状態に挿通されると共に、板材１１の裏面から突出された状態に挿通される。体毛部材１２としては、例えば、毛髪用塩化ビニル等が使用される。
【００４７】
図４では、これらの板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３を、理髪練習用頭部人形１０の側面側から見た側面図と上方から見た平面図とを示している。特に、図４（ｂ）で示すように、頭頂部位に関しては、４分割されており、体毛部材１２が、４枚の板材５１ａ，５１ｂ，５１ｃ，５１ｄの取付けられる中央から周囲へと向けて流れるように設けられるようになっている。なお、この頭頂板材５１ａ，５１ｂ，５１ｃ，５１ｄは、一体的に成形して、より、人間の頭頂部の渦巻きに近似させて傾斜貫通孔１１ａを設けて成形することも可能である。
【００４８】
板材１１は、図５，図６（ｂ）で示すように、傾斜貫通孔１１ａが複数形成され、各々の傾斜貫通孔１１ａに体毛部材１２が挿通されている。なお、図５では、傾斜貫通孔１１ａの数が少ないが、これは説明のために簡略しただけであり、実際には、図６（ａ）で示すように、多数設けられている。傾斜貫通孔１１ａは、図６（ｂ）で示すように、断面視で、傾斜上壁部位１１ｂと傾斜下壁部位１１ｃとから構成される。板材１１は、板材１１の表面側に形成された表面開口１１ｄと、板材１１の裏面側に形成された裏面開口１１ｅとを有し、表面開口１１ｄが、裏面開口１１ｅよりも狭く形成されて漏斗状に成形されている。傾斜上壁部位１１ｂは、板面から所定の角度を有して直線状に形成され、傾斜下壁部位１１ｃは、表面開口１１ｄ側が板面から所定の角度を有して直線状に形成され、裏面開口１１ｅの「周縁部の一部」である傾斜下壁部位１１ｃの下端側が末広がりに広がってアール部１１ｆが形成されている。なお、傾斜貫通孔１１ａの構成は、板材１１を構成する全ての板材５１ａ〜６３についても同様である。
【００４９】
また、傾斜貫通孔１１ａには、図６（ｂ）で示すように、体毛部材１２が１本挿通される構成としても良いし、又は、図６（ｃ）で示すように、体毛部材１２が複数挿通される構成としても良い。
【００５０】
特に、傾斜貫通孔１１ａは、図５の左側頭板材５３ｂで示すように、板材１１が板面を上下方向に沿うように設けられた場合には、アール部１１ｆ（図６（ｂ），（ｃ）参照）が裏面開口１１ｅ側に向けて下向きに傾斜するように板材５３ｂが配置される。この場合に、表面開口１１ｄ側で体毛部材１２が下向きに垂れ下がり、裏面開口１１ｅ側で体毛部材１２が下向きに垂れ下がり、表面開口１１ｄ側の体毛部材１２を引張った場合であっても、アール部１１ｆによって円滑な移動をすることができる利点がある。
【００５１】
各板材１１は、図６で示すように、板材１１の「所定領域」である分割された板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３の傾斜貫通孔１１ａに挿通される体毛部材１２毎に、板材１１の周縁部から体毛部材１２を囲う「区画手段」である覆い１５が取付けられており、板材１１の裏面側では、体毛部材１２と覆い１５とが長々と延びている。
【００５２】
板材１１の裏面側には、板材１１の裏面から突出する体毛部材１２を固定可能な体毛部材固定手段１４が設けられている。体毛部材固定手段１４は、固定鋏１４ａと、「区画手段」である隔壁７１〜７８と、固定リング１４ｃとからなる。そして、図７で示すように、覆い１５によって囲まれた体毛部材１２が、図７及び図８で示される固定鋏１４ａで挟まれることにより固定できるようになっている。
【００５３】
骨格構造体１３の内部には、図７（ａ）で示すように、複数の隔壁７１〜７８によって仕切られており、隔壁７１〜７８で仕切られた空間に覆い１５で囲われた体毛部材１２が配置されるようになっている。また、各隔壁７１〜７７には、図８（ｃ）で示すように、固定リング１４ｂが取付けられており、この固定リング１４ｂ内に固定鋏１４ａが挿通されている。
【００５４】
固定鋏１４ａは、図９で示すように、柱状部１４ｘ，１４ｙを有し、柱状部１４ｘの先端から柱状部１４ｘと垂直方向に円弧形状の円弧状部１４ｐが折曲されて設けられ、柱状部１４ｙの先端から柱状部１４ｙと垂直方向に円弧形状の円弧状部１４ｑが折曲されて設けられている。円弧状部１４ｑの先端側には、延長部１４ｑ−３が形成されており、固定鋏１４ａの円弧状部１４ｐ，１４ｑから体毛部材１２が外れないように構成されている。円弧状部１４ｐと円弧状部１４ｑとは、軸１４ｒを中心として回動可能に構成されている。そして、円弧状部１４ｐの内周側には、ラバー１４ｐ−１が取付けられ、ラバー１４ｐ−１の更に内周側に円弧状の凹部１４ｐ−２が形成されており、一方で、円弧状部１４ｑの内周側には、ラバー１４ｑ−１が取付けられ、ラバー１４ｑ−１の更に内周側に円弧状の凹部１４ｑ−２が形成されている。柱状部１４ｘの下端には、指挿入部１４ｘ−１が設けられており、柱状部１４ｙの下端には、指挿入部１４ｙ−１が設けられている。
【００５５】
また、柱状部１４ｙには、円弧状部１４ｂにおける円弧から中央に向けて突出する突起部１４ｃが引っ掛って固定鋏１４ａが係止される凹部１４ｓが形成されている。
【００５６】
次に、この発明の実施の形態１に係る理髪練習用頭部人形１０の使用方法について述べる。
【００５７】
美容師又は理容師は、骨格構造体１３から突出した体毛部材１２を切り、理髪練習を終えると、理髪練習用頭部人形１０は、体毛部材１２が短い状態となる。この次に、理髪練習したい場合には、板材１１の表面開口１１ｄから突出する体毛部材１２を引張り、体毛部材１２を長い状態にして、体毛部材１２を体毛部材固定手段１４の固定鋏１４ａの凹部１４ｐ−２と凹部１４ｑ−２とで形成される開口内に挟み込んで移動しないように固定する。
【００５８】
また、覆い１５により包まれた体毛部材１２が無くなる箇所毎に、板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３を交換して、体毛部材１２の補充をする。
【００５９】
また、右眉毛板材５９ａ、左眉毛板材５９ｂ、並びに、上顎前面板材５６、下顎前面板材５７に挿通された体毛部材１２に関しては、体毛部材１２が、各板材５９ａ，５９ｂ，５６，５７の裏面側から表面側へと押し込まれることにより、各板材５９ａ，５９ｂ，５６，５７の表面で必要な長さだけ突出した状態にする。
【００６０】
これらとは逆に、体毛部材１２が、板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３表面から突出する長さが長い場合には、体毛部材１２を固定鋏１４で挟み、固定鋏１４を下降させると、板材５１ａ，５１ｂ，５１ｃ，５１ｄ，５２，５３ａ，５３ｂ，５４ａ，５４ｂ，５５ａ，５５ｂ，５６，５７，５８，５９ａ，５９ｂ，６１，６２，６３の表面から突出する長さを短くする。
【００６１】
このような理髪練習用頭部人形１０の発明によれば、板材１１には、板面に沿う方向と所定の傾斜角を有する傾斜貫通孔１１ａが複数形成され、傾斜貫通孔１１ａは、体毛部材１２が、板材１１の表面から突出された状態に挿通されると共に、板材１１の裏面から突出された状態に挿通され、板材１１の裏面から突出する体毛部材１２を固定可能な体毛部材固定手段１４が設けられている。そのため、板材１１の表面から突出した体毛部材１２を引張れば、板材１１の裏面から突出した体毛部材１２を板材１１の表面側へと引張りだすことができる。従って、理髪練習の回数を従来よりも格段と増加させることができる。また、逆に、板材１１の表面から突出して延設される体毛部材１２を板材１１の裏面側へと引き込むことができる。従って、理髪その他の体毛調整の練習にあたり、体毛部材１２を切らずに体毛部材１２を所望の長さに調節して、理髪その他の体毛調整の練習をすることができる。
【００６２】
また、体毛部材１２が傾斜貫通孔１１ａの表面から斜め方向に突出する構成となるので、理髪練習にあたり、人間の頭部に即した理髪練習を行うことができる。従って、美容師又は理容師は、理髪練習による技術力の向上が図られる。
【００６３】
また、傾斜貫通孔１１ａは、板材１１の表面側に形成された表面開口１１ｄと、板材１１の裏面側に形成された裏面開口１１ｅとを有し、表面開口１１ｄが、裏面開口１１ｅよりも狭く形成されて漏斗状に成形されている。そのため、体毛部材１２が傾斜貫通孔１１ａ内で裏面開口１１ｅ側から表面開口１１ｄ側へと移動し易くすることができる。従って、体毛部材１２の移動によって、板材１１が傷み難くすることができる。
【００６４】
また、表面開口１１ｄの方が裏面開口１１ｅよりも狭く形成されていることから、体毛部材１２が表面開口１１ｄでぐらつき難くすることができる。従って、人間の体毛に対応した理髪練習を行うことができる。
【００６５】
さらに、「傾斜貫通孔の周縁部一部」である「傾斜貫通孔１１ａを構成する傾斜下壁部位１１ｃの裏面開口１１ｅ側の部位」には、アール部１１ｆが形成されている。そのため、体毛部材１２が板材１１の表面から引出されるときに、体毛部材１２がアール部１１ｆ上を円滑に移動して、引掛り難くすることができるので、体毛部材１２の表面開口１１ｄからの長さを調節し易くすることができる。従って、体毛部材１２が傷みがたくすることができる。
【００６６】
また、裏面開口１１ｅの周縁部にアール部１１ｆが形成されていない場合には、体毛部材１２を引張ると裏面開口１１ｅの周縁部によって削られ易くなると考えられるが、そのような体毛部材１２の削れ現象が生じ難くすることができる。
【００６７】
さらに、アール部１１ｆは、上下方向に沿って設けられた板材１１に対しては、下向きに傾斜するように配置される。従って、板材１１が上下方向に沿って設けられ、板材１１の表面開口１１ｄから体毛部材１２が下向きに突出し、板材１１の裏面開口１１ｅから体毛部材１２が下向きに突出して挿通されているときに、体毛部材１２を板材１１の表面側から引張ると、体毛部材１２の移動方向が異なることから、アール部１１ｆを設けずに角部を設けると、体毛部材１２の移動の妨げになり易いが、アール部１１ｆを設けることにより、そのような現象が生じ難くすることができる。
【００６８】
また、板材１１が着脱可能で人間の頭部の形状に成形された骨格構造体１３が設けられ、板材１１が、複数に分割された板材５１ａ，５１ｂ，５１ｃ，５１ｄ，〜，６３からなり、分割された各板材５１ａ，５１ｂ，５１ｃ，５１ｄ，〜，６３が、骨格構造体１３の枠２１ａ，２１ｂ，２１ｃ，２１ｄ，〜，３３に対して着脱されることにより交換可能である。そのため、分割された各板材５１ａ，５１ｂ，５１ｃ，５１ｄ，〜，６３によっては、体毛部材１２のカッティングによって体毛部材１２の無くなり方の激しい箇所があると考えられるが、そのような無くなり方の激しい箇所のみを交換することができる。従って、分割された各板材５１ａ，５１ｂ，５１ｃ，５１ｄ，〜，６３毎に交換可能であることから、経済性を向上させることができる。
【００６９】
また、分割された各板材５１ａ，５１ｂ，５１ｃ，５１ｄ，〜，６３毎に傾斜貫通孔１１ａの傾斜方向が異なるものを使用したい場合には、所望の傾斜貫通孔１１ａを形成された分割された各板材５１ａ，５１ｂ，５１ｃ，５１ｄ，〜，６３に交換することができるので、美容師又は理容師は、体毛の流れが異なる人の頭部の理髪練習を行うことができる。
【００７０】
さらに、体毛部材１２の種類には、ウェーブやニグロ、種類、色等で、実際の多種多様なお客様の毛髪又は髭等の質に対応できるように、複数種類用意しておくことで、１つの骨組みを使用して、色々なバリエーションのヘアイメージの練習をすることができる。顔板材６３に関しても同様である。
【００７１】
また、骨格構造体１３が、分割板材板材５１ａ，５１ｂ，５１ｃ，５１ｄ，〜，６３に対応する複数の枠２１ａ，２１ｂ，２１ｃ，２１ｄ，〜，３３からなり、隣接する枠２１ａ，２１ｂ，２１ｃ，２１ｄ，〜，３３同士を着脱することにより交換可能である。従って、各々の枠２１ａ，２１ｂ，２１ｃ，２１ｄ，〜，３３として、形状の異なるものを使用して、骨格自体が異なる理髪練習用頭部人形１０を構成することで、骨格の異なる人間の理髪練習ができる。
【００７２】
さらに、隔壁部７１〜７７が、板材５１ａ，５１ｂ，５１ｃ，５１ｄ，〜，６３に挿通された体毛部材１２を板材５１ａ，５１ｂ，５１ｃ，５１ｄ，〜，６３に挿通された束毎に区画すると共に、枠２１ａ，２１ｂ，２１ｃ，２１ｄ，〜，３３の裏側に設けられて各々の枠２１ａ，２１ｂ，２１ｃ，２１ｄ，〜，３３の形状に区画する隔壁部７１〜７７であり、体毛部材固定手段１４が、隔壁部７１〜７８に設けられた。従って、隣接する板材５１ａ，５１ｂ，５１ｃ，５１ｄ，〜，６３に挿通される体毛部材１２同士が、隔壁部７１〜７７によって隔てられるので、体毛部材１２同士が絡まないようにすることができる。
【００７３】
また、覆い１５が、板材５１ａ，５１ｂ，５１ｃ，５１ｄ，〜，６３に挿通された体毛部材１２を板材５１ａ，５１ｂ，５１ｃ，５１ｄ，〜，６３に挿通された束毎に区画すると共に、板材５１ａ，５１ｂ，５１ｃ，５１ｄ，〜，６３の周縁部から板材５１ａ，５１ｂ，５１ｃ，５１ｄ，〜，６３の裏面へ向けて延長される覆い１５である。従って、隣接する板材５１ａ，５１ｂ，５１ｃ，５１ｄ，〜，６３に挿通される体毛部材１２は、その各々が覆い１５で囲われているので、体毛部材１２同士が絡まないようにすることができる。
【００７４】
なお、この発明の実施の形態１では、枠２１ａ，２１ｂ，２１ｃ，２１ｄ，〜，３３の交換する構成ではなかったが、枠２１ａ，２１ｂ，２１ｃ，２１ｄ，〜，３３として各々異なる形状のものを使用して、骨格自体が異なる理髪練習用頭部人形１０を構成して、骨格の異なる人間の理髪練習をできるようにすることも可能である。
【００７５】
また、この発明の実施の形態１では、裏面開口１１ｅの周縁部としての傾斜下壁部位１１ｃの下端側にのみアール部１１ｆが形成されていたが、これに限定されるものではなく、傾斜上壁部位１１ｂの下端側にもアール部１１ｆが形成される構成として、裏面開口１１ｅの周縁部の全部にアール部１１ｆを形成する構成とすることも可能である。
【００７６】
さらに、この発明の実施の形態１では、隔壁部７１〜７８（図８（ａ））の下部の形状が特定されていないが、上記実施の形態に限定されず、隔壁部７１〜７８の下部を封鎖して、板材５１ａ，５１ｂ，５１ｃ，５１ｄ，〜，６３の裏面に延びる体毛部材１２の束を収容可能な収容部屋とすることも可能である。これによれば、長い体毛部材１２の束を図示しない収容部屋に収容し、長い体毛部材１２の束が、理髪練習の邪魔にならないようにすることができる。
【００７７】
なお、この発明の実施の形態１では、板材１１が複数に分割された板材５１ａ〜６３から構成されていたが、上記実施の形態に限定されず、分割されていない板材１１とすることも可能である。
［発明の実施の形態２］
【００７８】
以下、この発明の実施の形態２について説明する。
【００７９】
図１０（Ａ），（Ｂ）は、この発明の実施の形態２を示す。なお、この発明の実施の形態１と同一の部材又は構成のものに関しては、この発明の実施の形態１で用いたものを用いるものし、同一符号を付して説明を省略する。
【００８０】
この発明の実施の形態２が、この発明の実施の形態１と異なるのは、この発明の実施の形態１では、人間の頭部を模った理髪練習用頭部人形１０であったが、この発明の実施の形態２では、図１０（Ａ）で示すように、体毛部材１２を有する「体毛調整練習用人形」である動物人形１１０である点で異なる。
【００８１】
体毛部材１２を有する動物人形１１０は、図１０（Ｂ）で示すように、複数の「分割板材」である小板材１１１〜１１９が表面で互いに隣接するように設けられ、各小板材１１１〜１１９は、この発明の実施の形態１と同様に、傾斜貫通孔１１ａが形成され、各傾斜貫通孔１１ａには、体毛部材１２が挿通され、各小板材１１１〜１１９の裏面には、体毛部材１２を覆う袋１５が取付けられている。
【００８２】
このような動物人形１１０によれば、例えば、トリマー等が、動物人形１１０によって、実際の動物で体毛のカッティング練習するのと同様な感触で、カッティング練習をすることができる。
［発明の実施の形態３］
【００８３】
以下、この発明の実施の形態３について説明する。
【００８４】
図１１は、この発明の実施の形態３を示す。なお、この発明の実施の形態１と同一の部材又は構成のものに関しては、この発明の実施の形態１で用いたものを用いるものし、同一符号を付して説明を省略する。
【００８５】
この発明の実施の形態３が、この発明の実施の形態１と異なるのは、この発明の実施の形態１では、板材５１ａ〜６３が、裏面に何らの部材が取付けられることなく、裏面が分割枠２１ａ〜３３に直接に固定される構成であったが、この発明の実施の形態３では、「裏面固定部材」である板材５１ａ〜６３の裏面には、各板材５１ａ〜６３に対応する位置に、右前頭頂裏面板７１ａ、左前頭頂裏面板７１ｂ、右後頭頂裏面板７１ｃ、左後頭頂裏面板７１ｄ、前頭裏面板７２、右側頭裏面板７３ａ、左側頭裏面板７３ｂ、右もみあげ裏面板７４ａ、左もみあげ裏面板７４ｂ、右下顎裏面板７５ａ、左下顎裏面板７５ｂ、上顎前面裏面板７６、下顎前面裏面板７７、下顎下裏面板７８、右眉裏面板７９ａ、左眉裏面板７９ｂ、後頭裏面板８１、えりあし裏面板８２、顔裏面板８３とが設けられている点である。
【００８６】
また、その中で、例えば、左もみあげ板材５４ｂでは、端部に配置される針の取付け位置５４ｃ−１〜５４ｃ−４に針１２１が取付けられている。針１２１では、基端側部１２１ａの径の方が、先端側部１２１ｂの径よりも大きく形成されている。
【００８７】
左もみあげ板材５４ｂの裏面側には、左もみあげ裏面板７４ｂが設けられる。左もみあげ裏面板７４ｂは、前述した針１２１が貫通される貫通孔７４ｃ−１〜７４ｃ−４が形成されており、又、体毛部材１２が挿通される複数の挿通孔７４ｅが形成されている。各挿通孔７４ｅは、板材５４ｂに形成される傾斜貫通孔１１ａよりも径が大きく、板材１１に形成される傾斜貫通孔１１ａの裏面開口１１ｅ側に設けられたアール部１１ｆと同様な図示しないアール部が形成されている。また、左もみあげ裏面板７４ｂの裏面に体毛部材１２を覆う覆い１５が取付けられている。なお、この発明の実施の形態３における左もみあげ板材５４ｂの裏面には、体毛部材１２を覆う覆い１５が取付けられておらず、前述したように、左もみあげ裏面板７４ｂの裏面に覆い１５が取りけられている点では、この発明の実施の形態１の袋１５と取付け位置が異なる。
【００８８】
そして、左もみあげ板材５４ｂに取付けられた針１２１は、基端側部１２１ａが、左もみあげ裏面板７４ｂに形成された貫通孔７４ｃ−１〜７４ｃ−４に挿嵌されて左もみあげ板材５４ｂと左もみあげ裏面板７４ｂとが積み重ねられ、先端側部１２１ｂのみが、枠２４ｂに突き刺さって固定されるようになっている。
【００８９】
前述したように、針１２１は、先端側部１２１ｂのみが枠２４ａに固定されるようになっているので、左もみあげ板材５４ｂと左もみあげ裏面板７４ｂとが重ね合わされて一緒に枠２４ｂに固定されると、左もみあげ裏面板７４ｂと枠２４ｂとの間が離間するようになっている。従って、板材２４ｂの端部側の体毛部材１２は、板材２４ｂの端部側が枠２４ｂの上面に当接しないで離間しているので、左もみあげ裏面板７４ｂと枠２４ｂとで挟まれることなく、枠２４ｂで囲まれた空間内で移動可能になっている。
【００９０】
なお、ここでは、図１１を用いながら、左もみあげ枠２４ｂ、左もみあげ板材５４ｂ、左もみあげ裏面板７４ｂについてのみ説明したが、左もみあげ枠２１ａ〜２４ｂ，２５ａ〜３３、左もみあげ板材５１ａ〜５４ａ，５５ａ〜６３、裏面板７１ａ〜７４ｂ，７５ａ〜８３についても同様に構成されている。
【００９１】
また、この発明の実施の形態３では、板材５１ａ〜６３と裏面板７１ａ〜８３との間には、何らの部材も挟まれることがなかったが、上記実施の形態に限定されない。すなわち、板材５１ａ〜６３と裏面板７１ａ〜８３との間には、図１３（Ａ）で示すように、吸水性を有する「吸水部材」の一つである第１吸水部材１２３が設けられる構成とすることも可能である。第１吸水部材１２３には、図１３（Ｃ）で示すように、体毛部材１２が挿通される体毛挿通孔１２３ａが複数形成され、板材５１ａ〜６３に形成される傾斜貫通孔１１から水が流入した場合に、第１吸水部材１２３が水を吸収して膨張し、体毛挿通孔１２３ａが収縮して水が遮断されるように構成されている。なお、符号１２３ｂ−１〜１２３ｂ−４は、針１２１の基端側部１２１ａが挿嵌される挿嵌孔である。
【００９２】
これとは逆に、この吸水部材１２３は、乾燥すると、再び、体毛挿通孔１２３ａが広がり、体毛部材１２の出入が円滑に行えるようにすることができる。例えば、板材５１ａ〜６３の材質として、シリコン等を使用し、第１吸水部材１２３の材質として、吸水性ポリマー等の水を吸収すると直ちに膨張し、人形１０内に水が浸入しない状態となるのに最適な素材と厚みを有するものを使用し、裏面板７１ａ〜８３の材質として、形状記憶用板を使用する。更に、例えば、吸水性ポリマーとして、ポリアクリル酸塩系樹脂を用いる。従って、理髪練習用頭部人形１０の体毛部材１２を洗った場合に、人形１０内に水が浸入しないようにすることができる。
【００９３】
また、第１吸水部材１２３と板材５１ａ〜６３との間には、「吸水部材」の一つである第２吸水部材１２４が更に挟まれ、積み重ねられている。第２吸水部材１２４にも、図１３（Ｄ）で示すように、体毛部材１２が挿通される体毛貫通孔１２４ａが複数形成されている。第２吸水部材１２４の材質としては、フェルト等の直ぐに乾く素材と厚さのものを用いる。なお、符号１２４ｂ−１〜１２４ｂ−４は、針１２１の基端側部１２１ａが挿嵌される挿嵌孔である。
【００９４】
なお、この発明の実施の形態３の構成を、この発明の実施の形態２の動物人形１１０に適用することも可能である。
［発明の実施の形態４］
【００９５】
以下、この発明の実施の形態４について説明する。
【００９６】
図１２は、この発明の実施の形態４を示す。なお、この発明の実施の形態１と同一の部材又は構成のものに関しては、この発明の実施の形態１で用いたものを用いるものし、同一符号を付して説明を省略する。
【００９７】
この発明の実施の形態４が、この発明の実施の形態１と異なるのは、この発明の実施の形態４では、板材５１ａ〜６３の裏面には、何らの部材が取付けられることなく、分割枠２１ａ〜３３に直接に固定される構成であったが、この発明の実施の形態４では、板材５１ａ〜６３の裏面には、各板材５１ａ〜６３に対応する位置に、「裏面固定部材」である右前頭頂裏面網９１ａ、左前頭頂裏面網９１ｂ、右後頭頂裏面網９１ｃ、左後頭頂裏面網９１ｄ、前頭裏面網９２、右側頭裏面網９３ａ、左側頭裏面網９３ｂ、右もみあげ裏面網９４ａ、左もみあげ裏面網９４ｂ、右下顎裏面網９５ａ、左下顎裏面網９５ｂ、上顎前面裏面網９６、下顎前面裏面網９７、下顎下裏面網９８、右眉裏面網９９ａ、左眉裏面網９９ｂ、後頭裏面網１０１、えりあし裏面網１０２、顔裏面網１０３とが設けられている点である。
【００９８】
また、その中で、例えば、左もみあげ板材５４ｂでは、端部に配置される針の取付け位置５４ｃ−１〜５４ｃ−４に針１２１が取付けられている。針１２１では、基端側部１２１ａの径の方が、先端側部１２１ｂの径よりも大きく形成されている。
【００９９】
左もみあげ板材５４ｂの裏面側には、左もみあげ裏面網９４ｂが設けられ、左もみあげ裏面網９４ｂは、複数の針金１２２が格子状に交差されて組まれており、針金１２２で囲まれる各領域９４ｅに体毛部材１２が挿通されるようになっている。また、左もみあげ板材５４ｂと左もみあげ裏面網９４ｂとは、左もみあげ板材５４ｂの四隅に形成された固定紐挿通孔５４ｐ−１〜５４ｐ−４に固定紐５４ｑ−１〜５４ｑ−４が挿通されて結ばれている。
【０１００】
そして、左もみあげ板材５４ｂに取付けられた針１２１は、基端側部１２１ａが、左もみあげ裏面網９４ｂにおける針金１２２が設けられていない部位を通されて、左もみあげ板材５４ｂと左もみあげ網９４ｂとが積み重ねられ、先端側部１２１ｂのみが、枠２４ｂに突き刺さって固定されるようになっている。
【０１０１】
前述したように、針１２１は、先端側部１２１ｂのみが枠２４ａに固定されるようになっているので、左もみあげ板材５４ｂと左もみあげ裏面網９４ｂとが重ね合わされて一緒に枠２４ｂに固定されると、左もみあげ裏面網９４ｂと枠２４ｂとの間が所定距離離間するようになっている。従って、板材２４ｂの端部側の体毛部材１２は、板材２４ｂの端部側が枠２４ｂの上面に当接しないで離間しているので、左もみあげ裏面網９４ｂと枠２４ｂとで挟まれることなく、枠２４ｂで囲まれた空間内で移動可能になっている。
【０１０２】
なお、ここでは、図１１を用いながら、左もみあげ枠２４ｂ、左もみあげ板材５４ｂ、左もみあげ裏面網９４ｂについてのみ説明したが、左もみあげ枠２１ａ〜２４ａ，２５ａ〜３３、左もみあげ板材５１ａ〜５４ａ，５５ａ〜６３、裏面板７１ａ〜９４ａ，９５ａ〜１０３についても同様に構成されている。
【０１０３】
また、この発明の実施の形態４では、板材５１ａ〜６３と裏面網９１ａ〜１０３との間には、何らの部材も挟まれることがなかったが、上記実施の形態に限定されない。すなわち、板材５１ａ〜６３と裏面板９１ａ〜１０３との間には、図１３（Ｂ）で示すように、「吸水部材」の一つである吸水性を有する第１吸水部材１２３が設けられる構成とすることも可能である。第１吸水部材１２３には、体毛部材１２が挿通される体毛挿通孔１２３ａが形成され、板材５１ａ〜６３に形成される傾斜貫通孔１１から水が流入した場合に、第１吸水部材１２３が水を吸収して膨張し、体毛挿通孔１２３ａが収縮して水が遮断されるように構成されている。なお、符号１２３ｂ−１〜１２３ｂ−４は、針１２１の基端側部１２１ａが挿嵌される挿嵌孔である。
【０１０４】
これとは逆に、この第１吸水部材１２３は、乾燥すると、再び、体毛挿通孔１２３ａが広がり、体毛部材１２の出入が円滑に行えるようにすることができる。例えば、板材５１ａ〜６３の材質として、シリコン等を使用し、第１吸水部材１２３の材質として、吸水性ポリマー等の水を吸収すると直ちに膨張し、人形１０内に水が浸入しない状態となるのに最適な素材と厚みを有するものを使用し、裏面網９１ａ〜１０３の材質として、形状記憶用板を使用する。更に、例えば、吸水性ポリマーとして、ポリアクリル酸塩系樹脂を用いる。従って、理髪練習用頭部人形１０の体毛部材１２を洗った場合に、人形１０内に水が浸入しないようにすることができる。
【０１０５】
また、第１吸水部材１２３と板材５１ａ〜６３との間には、「吸水部材」の一つである第２吸水部材１２４が更に挟まれ、積み重ねられている。第２吸水部材１２４にも、図１３（Ｄ）で示すように、体毛部材１２が挿通される体毛貫通孔１２４ａが複数形成されている。第２吸水部材１２４の材質としては、フェルト等の直ぐに乾く素材と厚さのものを用いる。また、符号１２４ｂ−１〜１２４ｂ−４は、基端側部１２１ａが挿嵌される挿嵌孔である。
【０１０６】
なお、この発明の実施の形態４では、裏面網９１ａ〜１０３を用いていたが、上記実施の形態に限定されず、格子状の孔を複数有し、各孔同士を隔てる隔壁部を有する裏面板を用いる構成も可能である。
【０１０７】
なお、この発明の実施の形態４の構成を、この発明の実施の形態２の動物人形１１０に適用することも可能である。
【０１０８】
［発明の実施の形態５］
【０１０９】
以下、この発明の実施の形態５について説明する。
【０１１０】
図１４は、この発明の実施の形態５を示す。なお、この発明の実施の形態１と同一の部材又は構成のものに関しては、この発明の実施の形態１で用いたものを用いるものし、同一符号を付して説明を省略する。
【０１１１】
この発明の実施の形態５における理髪練習用頭部人形１０は、図１４（Ｂ）で示すように、板材１１が分割された板材ではなく、人間頭部の形状をしており、中空形状である。
【０１１２】
また、図１４（Ａ）で示すように、板材１１が着脱可能で人間の頭部の形状に成形された「骨組み」である骨格構造体１３が設けられており、図１４（Ｂ）で示すように、板材１１が、この骨格構造体１３に被せられる大きさで骨格構造体１３の外形と略同形状で成形されると共に側部に切れ込み部１３ｐが形成され、切れ込み部１３ｐを開閉して骨格構造体１３に対して着脱されることにより交換可能である。従って、板材１１が骨格構造体１３に簡単に被せることができる。なお、このような切れ込み部１３ｐを設ける構成も、この発明の実施の形態２における動物人形１１０に適用することが可能である。
【図面の簡単な説明】
【０１１３】
【図１】この発明の実施の形態１に係る理髪練習用頭部人形の正面図である。
【図２】同実施の形態に係る理髪練習用頭部人形の図であり、（ａ）は、骨格構造体を示す正面図であり、（ｂ）は、骨格構造体の分割枠に対して複数の分割板材を取付けた状態を示す正面図である。
【図３】同実施の形態に係る理髪練習用頭部人形の図であり、（ａ）は、骨格構造体を示す裏面図であり、（ｂ）は、骨格構造体の分割枠に対して複数の分割板材を取付けた状態を示す裏面図である。
【図４】同実施の形態に係る骨格構造体に板材を取付けられた理髪練習用頭部人形の図であり、（ａ）は、理髪練習用頭部人形の側面図であり、（ｂ）は、理髪練習用頭部人形の平面図である。
【図５】同実施の形態に係る体毛部材と板材との関係を示す理髪練習用頭部人形の断面図である。
【図６】同実施の形態に係る板材の構成を示す図であり、（ａ）は、板材と体毛部材と覆いの斜視図であり、（ｂ）は、一つの傾斜貫通孔に一本の体毛部材を挿通させた板材の断面図であり、（ｃ）は、一つの傾斜貫通孔に複数本の体毛部材を挿通させた板材の断面図である。
【図７】同実施の形態に係る体毛部材固定手段の構成を示す理髪練習用頭部人形の上方から見た断面図である。
【図８】同実施の形態に係る体毛部材固定手段の構成を示す図であり、（ａ）は、板材の裏面側に配設される体毛部材固定手段の斜視図であり、（ｂ）は、固定鋏と固定リングとの係止状況を説明する概略図である。
【図９】同実施の形態に係る体毛部材固定手段を構成する固定鋏の拡大斜視図である。
【図１０】この発明の実施の形態２に係る動物人形の斜視図であり、（Ａ）は、体毛部材と動物人形の板材との関係を示す概略斜視図であり、（Ｂ）は、体毛部材と動物人形の板材との関係を示す概略断面図である。
【図１１】この発明の実施の形態３に係る理髪練習用頭部人形における板材と裏面板と枠との関係を示し、（Ａ）は、板材と裏面板とが離間した状態を示す斜視図であり、（Ｂ）は、板材と裏面板とが重ね合わされた状態を示す斜視図である。
【図１２】この発明の実施の形態４に係る理髪練習用頭部人形における板材と裏面網と枠との関係を示し、（Ａ）は、板材と裏面網とが離間した状態を示す斜視図であり、（Ｂ）は、板材と裏面網とが重ね合わされた状態を示す斜視図である。
【図１３】（Ａ）は、板材と裏面板との間に、第１吸水部材及び第２吸水部材が設けられた状態を示す構成図であり、（Ｂ）は、板材と裏面網との間に、第１吸水部材及び第２吸水部材が設けられた状態を示す構成図であり、（Ｃ）は、第１吸水部材の構成を示す斜視図であり、（Ｄ）は、第２吸水部材の構成を示す斜視図である。
【図１４】この発明の実施の形態５に係る理髪練習用頭部人形の図であり、（Ａ）は、理髪練習用頭部人形の骨格構造体の斜視図であり、（Ｂ）は、理髪練習用頭部人形の板材の斜視図である。
【符号の説明】
【０１１４】
10  理髪練習用頭部人形（体毛調整練習用人形）
11  板材
11a 傾斜貫通孔
11d 表面開口
11e 裏面開口
12  体毛部材
13  骨格構造体
14  体毛部材固定手段
15  覆い（区画手段）
71〜78  隔壁（区画手段）
110     動物人形（体毛調整練習用人形）
【図１】
2007301306.tif 000003
【図２】
2007301306.tif 000004
【図３】
2007301306.tif 000005
【図４】
2007301306.tif 000006
【図５】
2007301306.tif 000007
【図６】
2007301306.tif 000008
【図７】
2007301306.tif 000009
【図８】
2007301306.tif 000010
【図９】
2007301306.tif 000011
【図１０】
2007301306.tif 000012
【図１１】
2007301306.tif 000013
【図１２】
2007301306.tif 000014
【図１３】
2007301306.tif 000015
【図１４】
2007301306.tif 000016